【手続補正書】
【提出日】平成29年2月27日(2017.2.27)
【手続補正１】
【補正対象書類名】特許請求の範囲
【補正対象項目名】請求項１
【補正方法】変更
【補正の内容】
【請求項１】
デキストリンと脂肪酸とのエステル化物であって、前記デキストリンの平均糖重合度が３以上１００以下であり、前記脂肪酸が、炭素数１４以上１８以下の直鎖飽和脂肪酸の１種以上及び炭素数１４以上１８以下の分岐飽和脂肪酸の１種以上からなり、前記脂肪酸における前記直鎖飽和脂肪酸のモル分率が０．８以上０．９以下であり、グルコース単位あたりの前記脂肪酸の平均置換度が１．６５以上１．８０以下である
デキストリン脂肪酸エステル。
【手続補正２】
【補正対象書類名】特許請求の範囲
【補正対象項目名】請求項３
【補正方法】変更
【補正の内容】
【請求項３】
前記直鎖飽和脂肪酸が炭素数１６のパルミチン酸であって、前記分岐飽和脂肪酸が炭素数１６のイソパルミチン酸である
請求項１又は２に記載のデキストリン脂肪酸エステル。
【手続補正３】
【補正対象書類名】特許請求の範囲
【補正対象項目名】請求項４
【補正方法】変更
【補正の内容】
【請求項４】
油剤と、
デキストリンと脂肪酸とのエステル化物であるデキストリン脂肪酸エステルであって、前記デキストリンの平均糖重合度が３以上１００以下であり、前記脂肪酸が、炭素数１４以上１８以下の直鎖飽和脂肪酸の１種以上及び炭素数１４以上１８以下の分岐飽和脂肪酸の１種以上からなり、前記脂肪酸における前記直鎖飽和脂肪酸のモル分率が０．８以上０．９以下であり、グルコース単位あたりの前記脂肪酸の平均置換度が１．６５以上１．８０以下であるデキストリン脂肪酸エステルと、を含む
化粧料。
【手続補正４】
【補正対象書類名】特許請求の範囲
【補正対象項目名】請求項５
【補正方法】変更
【補正の内容】
【請求項５】
前記デキストリン脂肪酸エステルの含有率が１重量％以上２０重量％以下である
請求項４に記載の化粧料。
【手続補正５】
【補正対象書類名】特許請求の範囲
【補正対象項目名】請求項６
【補正方法】変更
【補正の内容】
【請求項６】
前記油剤は、揮発性炭化水素油を含み、
前記デキストリン脂肪酸エステルの含有率が３重量％以上２０重量％以下である
請求項４又は５に記載の化粧料。
【手続補正６】
【補正対象書類名】明細書
【補正対象項目名】０００９
【補正方法】変更
【補正の内容】
【０００９】
以下、上記課題を解決するための手段及びその作用効果について記載する。
上記課題を解決するデキストリン脂肪酸エステルは、デキストリンと脂肪酸とのエステル化物であって、デキストリンの平均糖重合度が３以上１００以下であり、前記脂肪酸が、炭素数１４以上１８以下の直鎖飽和脂肪酸の１種以上と、炭素数１４以上１８以下の分岐飽和脂肪酸の１種以上とからなり、前記脂肪酸における前記直鎖飽和脂肪酸のモル分率が０．８以上０．９以下であり、グルコース単位あたりの前記脂肪酸の平均置換度が１．６５以上１．８０以下である。
【手続補正７】
【補正対象書類名】明細書
【補正対象項目名】００１０
【補正方法】変更
【補正の内容】
【００１０】
上記課題を解決する化粧料は、油剤と、デキストリンと脂肪酸とのエステル化物であるデキストリン脂肪酸エステルであって、前記デキストリンの平均糖重合度が３以上１００以下であり、前記脂肪酸が、炭素数１４以上１８以下の直鎖飽和脂肪酸の１種以上及び炭素数１４以上１８以下の分岐飽和脂肪酸の１種以上からなり、前記脂肪酸における前記直鎖飽和脂肪酸のモル分率が０．８以上０．９以下であり、グルコース単位あたりの前記脂肪酸の平均置換度が１．６５以上１．８０以下であるデキストリン脂肪酸エステルと、を含む。
【手続補正８】
【補正対象書類名】明細書
【補正対象項目名】００１１
【補正方法】変更
【補正の内容】
【００１１】
発明者の鋭意研究により、チキソトロピー性を有するデキストリン脂肪酸エステルのなかでも、直鎖飽和脂肪酸及び分岐飽和脂肪酸の両方を含み、それらの炭素数、直鎖飽和脂肪酸及び分岐飽和脂肪酸のモル分率、及び平均置換度が上記範囲のものが、復帰力と、低
い離漿性との両方を兼ね備えていることが判明した。復帰力は、デキストリン脂肪酸エステルを含む油剤に加えられた力が解除されたときに、２０秒以内という短い時間で、解除直前の粘度に対し５０％以上の粘度になるように、粘度を大きく増加させることのできる力をいう。すなわち、デキストリン脂肪酸エステルにおけるデキストリンの平均糖重合度が３以上１００以下であることによって、軟らかなゲルが得ることができなくなることを抑制するとともに、デキストリン脂肪酸エステルの油剤への溶解性が過剰に低くなることを抑制できる。また、直鎖飽和脂肪酸の炭素数を１４以上１８以下とすることで、復帰力を高め、分岐飽和脂肪酸の炭素数を１４以上１８以下とすることで、デキストリンと脂肪酸との反応効率を良好にしつつ、油剤に適切な粘性を付与することができる。また、脂肪酸における直鎖飽和脂肪酸のモル分率を０．７５以上０．９５以下とすることによって、ゲル化した油剤を滑らかな状態としつつ、復帰力を向上することができる。さらにグルコース単位あたりの脂肪酸の平均置換度を１．５以上２．０以下とすることにより、離漿性を低下させることができる。特に、上記デキストリン脂肪酸エステルは、前記脂肪酸における前記直鎖飽和脂肪酸のモル分率が０．８以上０．９以下の範囲であって、グルコース単位あたりの前記脂肪酸の平均置換度が１．６５以上１．８０以下であることによって、デキストリン脂肪酸エステルを含む油剤の復帰力を向上するとともに離漿性を低下させることができる。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
上記デキストリン脂肪酸エステルは、直鎖飽和脂肪酸が炭素数１６のパルミチン酸であって、前記分岐飽和脂肪酸が炭素数１６のイソパルミチン酸であることが好ましい。
【手続補正１１】
【補正対象書類名】明細書
【補正対象項目名】００１５
【補正方法】変更
【補正の内容】
【００１５】
この態様によれば、油剤をゲル化する力及び透明性の両方を特に優れたものとすることができる。
上記化粧料は、前記デキストリン脂肪酸エステルの含有率が１重量％以上２０重量％以下であってもよい。
この態様によれば、化粧料に復帰力を付与することができる。
上記化粧料は、油剤に揮発性炭化水素油を含み、前記デキストリン脂肪酸エステルの含有率が３重量％以上２０重量％以下であってもよい。
【手続補正１２】
【補正対象書類名】明細書
【補正対象項目名】００２８
【補正方法】変更
【補正の内容】
【００２８】
脂肪酸全体に対する直鎖飽和脂肪酸のモル分率が０．９５以下であるから、ゲル化した油剤が白濁することが抑えられ、油剤の透明性が確保される。また、分岐飽和脂肪酸の比
率が少ないことに起因し、ザクザクとした滑らかではないゲルとなることも抑えられる。脂肪酸全体に対する直鎖飽和脂肪酸のモル分率が０．７５以上であるため、分岐飽和脂肪酸の比率が過剰に高いことに起因し、油剤をゲル化する力が低過ぎることも抑えられる。また、油剤をゲル化させるためにデキストリン脂肪酸エステルを油剤に高い濃度で配合すること、それによって、力を加えたときの粘度の低下の度合いが小さく、復帰力が失われることも抑えられる。なお、復帰力は、デキストリン脂肪酸エステルを含む油剤に加えられた力が解除されたときに、２０秒以内という短い時間で、解除直前の粘度に対し５０％以上の粘度になるように、粘度を大きく増加させることのできる力をいう。